(57)【要約】【課題】  撮像装置と印刷装置とを接続して撮影を行う場合に、撮影した画像データの記録先を任意に切換えることができるようにして、撮像装置で撮影した画像データを簡単に、かつ効率良く印刷できるようにする。【解決手段】  印刷装置に装着されるメディアパックに内蔵されているメディア情報を、前記印刷装置から取得するメディア情報取得手段と、撮影画像データの記録先を、印刷装置に装着されたメモリカードか、撮像装置本体に装着されたメモリカードのどちらかに設定する画像データ記録用メモリ設定手段とを設け、印刷装置に装着されるメモリカードには、印刷に最適な画像サイズのみの画像データが常時記録されるようにする。【選択図】  図１
2006100986.tif 000002
【特許請求の範囲】
【請求項１】
印刷装置に装着されるメディアパックに内蔵されているメディア情報を、前記印刷装置から取得するメディア情報取得手段と、
撮影画像データの記録先を、印刷装置に装着されたメモリカードか、撮像装置本体に装着されたメモリカードのどちらかに設定する画像データ記録用メモリ設定手段とを有することを特徴とする撮像装置。
【請求項２】
前記画像データ記録用メモリ設定手段により、前記撮影画像データの記録先として印刷装置に装着されたメモリカードが設定された場合に、前記印刷装置の能力に応じて撮像条件を設定する撮像条件設定手段を有することを特徴とする請求項１に記載の撮像装置。
【請求項３】
前記撮像条件設定手段は、前記印刷装置におけるプリントヘッドの解像度、用紙サイズ、用紙の種類のうち、少なくとも１つを考慮して撮像条件を設定することを特徴とする請求項２に記載の撮像装置。
【請求項４】
前記撮像装置のメモリカード容量が不足な場合には、前記印刷装置に装着されるメモリカードを画像データの記録先として設定する外部メモリ記録設定手段を有することを特徴とする請求項１〜３の何れか１項に記載の撮像装置。
【請求項５】
前記印刷装置のメモリカード容量が不足な場合には、前記撮像装置に装着されるメモリカードを画像データの記録先として設定する通常メモリ記録設定手段を有することを特徴とする請求項１〜３の何れか１項に記載の撮像装置。
【請求項６】
前記画像データの記録先として、前記撮像装置に装着されるメモリカード及び前記印刷装置に装着されるメモリカードの両方を設定する同時メモリ記録設定手段を有することを特徴とする請求項１〜３の何れか１項に記載の撮像装置。
【請求項７】
自身に装着されるメディアパックに内蔵されているメディア情報を撮像装置に転送する印刷装置と、
前記請求項１〜６の何れか１項に記載の撮像装置とを有することを特徴とするダイレクト印刷システム。
【請求項８】
印刷装置に装着されるメディアパックに内蔵されているメディア情報を、前記印刷装置から取得するメディア情報取得工程と、
撮影画像データの記録先を、印刷装置に装着されたメモリカードか、撮像装置本体に装着されたメモリカードのどちらかに設定する画像データ記録用メモリ設定工程とを有することを特徴とする撮像方法。
【請求項９】
前記画像データ記録用メモリ設定工程により、前記撮影画像データの記録先として印刷装置に装着されたメモリカードが設定された場合に、前記印刷装置の能力に応じて撮像条件を設定する撮像条件設定工程を有することを特徴とする請求項８に記載の撮像方法。
【請求項１０】
前記撮像条件設定工程は、前記印刷装置におけるプリントヘッドの解像度、用紙サイズ、用紙の種類のうち、少なくとも１つを考慮して撮像条件を設定することを特徴とする請求項９に記載の撮像方法。
【請求項１１】
前記撮像装置のメモリカード容量が不足な場合には、前記印刷装置に装着されるメモリカードを画像データの記録先として設定する外部メモリ記録設定工程を有することを特徴とする請求項８〜１０の何れか１項に記載の撮像方法。
【請求項１２】
前記印刷装置のメモリカード容量が不足な場合には、前記撮像装置に装着されるメモリカードを画像データの記録先として設定する通常メモリ記録設定工程を有することを特徴とする請求項８〜１０の何れか１項に記載の撮像方法。
【請求項１３】
前記画像データの記録先として、前記撮像装置に装着されるメモリカード及び前記印刷装置に装着されるメモリカードの両方を設定する同時メモリ記録設定工程を有することを特徴とする請求項８〜１０の何れか１項に記載の撮像方法。
【請求項１４】
印刷装置に装着されるメディアパックに内蔵されているメディア情報を、前記印刷装置から取得するメディア情報取得工程と、撮影画像データの記録先を、印刷装置に装着されたメモリカードか、撮像装置本体に装着されたメモリカードのどちらかに設定する画像データ記録用メモリ設定工程とを有する撮像方法をコンピュータに実行させることを特徴とするコンピュータプログラム。
【請求項１５】
前記請求項１４に記載のコンピュータプログラムを記録したことを特徴とするコンピュータ読み取り可能な記録媒体。
【発明の詳細な説明】
【技術分野】
【０００１】
本発明は撮像装置及び撮像方法に関し、特に、画像データをメモリーカードに保存する際に、デジタルカメラに内蔵されたメモリカードと外部装置に内蔵されたメモリカード等への保存先を切換えることを容易に行い得る記録媒体切換機能付きデジタルカメラに用いて好適な技術関する。
【背景技術】
【０００２】
近年、デジタル式の撮像装置（以下、デジタルカメラと言う）の撮像素子は、高解像度化されており、撮影された画像は、ＪＰＥＧ等の形式に圧縮された状態で、一画像あたり数百ｋバイト〜数Ｍバイトとなる場合が一般的になってきている。
【０００３】
ところで、デジタルカメラで撮影された画像は、コンパクトフラッシュ（登録商標）メモリカード等の読み書き可能な小型メモリに記憶される。小型メモリは、近年高記録密度化しており、数十Ｍバイト以上の記憶容量を有しているものもあるが、前述したように、一画像あたりのバイト数は極めて大きいので、１つのメモリカードに保存できる高解像度デジタル画像の枚数はせいぜい数十枚程度である。
【０００４】
デジタルカメラの中には、パーソナルコンピュータとの入出力インターフェイスが用意されたものがあり、ユーザは、撮影したデジタル画像を（すなわち、小型メモリに記憶された画像データを）コンピュータに備えられた磁気ディスク式記録媒体等に保存する。例えば１つの小型メモリのみを用いて、何枚でもデジタル画像の撮影が可能となる。
【０００５】
ところで、近年コンピュータが一般家庭に普及しつつあるとはいえ、その操作環境は、全ての人にとって優れているとは必ずしも言えない。例えば、一般家庭に設置されるコンピュータでは、電源が常に投入されていることは稀であり、ハードディスクに保存したデジタル画像を見たい場合には、当該コンピュータの電源を投入してオペレーションシステムを立ち上げた後、グラフィックスブラウザ等のアプリケーションを起動しなければならないし、また目的のデジタル画像を印刷する場合には、さらにプリントの実行を指示しなければならない。このような、一連の操作を行うことは、コンピュータの扱いに不慣れなユーザにとっては、不可能ないし極めて困難である。
【０００６】
一方、デジタルカメラで撮影したデジタル画像をプリントするための専用のプリンタも提供されている。この種のプリンタの中には、デジタルカメラに装着される小型メモリをセットできるもの（例えば、特許文献１参照）、デジタルカメラとケーブル接続されて記録した画像を表示できるものもあり、このプリンタ（以後、ダイレクトプリンタとする）を用いれば、電子装置の扱いに不慣れな者であっても、比較的簡単な操作で所望のデジタル画像をプリントすることができる。
【０００７】
【特許文献１】特開平１１−００７７０１号公報
【発明の開示】
【発明が解決しようとする課題】
【０００８】
しかしながら、前記のようにデジタルカメラとダイレクトプリンタとを接続して、即座に印刷させるための画像を撮影する場合、印刷するために逐一ダイレクトプリンタに画像データを転送させる手間が生じる。また、デジタルカメラとダイレクトプリンタとを接続している場合、ダイレクトプリンタが印刷実行中の間は、デジタルカメラも撮影ができなくなるという不便さが生じる問題があった。
【０００９】
また、前記のようなダイレクトプリンタを接続して、特定サイズのメディアにのみ印刷するような画像を撮影する場合、例えば、印刷メディアがプリクラのような小さい画像であっても、メディアサイズに関わらず比較的大サイズで撮影が行われ、デジタルカメラに装着されたメモリカードを無駄に消費してしまう欠点がある。
【００１０】
本発明は前述の問題点にかんがみ、撮像装置と印刷装置とを接続して撮影を行う場合に、撮影した画像データの記録先を任意に切換えることができるようにして、撮像装置で撮影した画像データを簡単に、かつ効率良く印刷できるようにすることを目的としている。
【課題を解決するための手段】
【００１１】
本発明の撮像装置は、印刷装置に装着されるメディアパックに内蔵されているメディア情報を、前記印刷装置から取得するメディア情報取得手段と、撮影画像データの記録先を、印刷装置に装着されたメモリカードか、撮像装置本体に装着されたメモリカードのどちらかに設定する画像データ記録用メモリ設定手段とを有することを特徴としている。
【００１２】
本発明のダイレクト印刷システムは、自身に装着されるメディアパックに内蔵されているメディア情報を撮像装置に転送する印刷装置と、前記に記載の撮像装置とを有することを特徴としている。
【００１３】
本発明の撮像方法は、印刷装置に装着されるメディアパックに内蔵されているメディア情報を、前記印刷装置から取得するメディア情報取得工程と、撮影画像データの記録先を、印刷装置に装着されたメモリカードか、撮像装置本体に装着されたメモリカードのどちらかに設定する画像データ記録用メモリ設定工程とを有することを特徴としている。
【００１４】
本発明のコンピュータプログラムは、印刷装置に装着されるメディアパックに内蔵されているメディア情報を、前記印刷装置から取得するメディア情報取得工程と、撮影画像データの記録先を、印刷装置に装着されたメモリカードか、撮像装置本体に装着されたメモリカードのどちらかに設定する画像データ記録用メモリ設定工程とを有する撮像方法をコンピュータに実行させることを特徴としている。
【００１５】
本発明の記録媒体は、前記に記載のコンピュータプログラムを記録したことを特徴としている。
【発明の効果】
【００１６】
本発明によれば、印刷装置に装着されるメモリカードには、常時、印刷に最適な画像サイズのみの画像データが記録されるようにすることが可能となり、メモリ資源を有効に使うことができる。
また、本発明の他の特徴によれば、撮影後にただちに印刷装置に装着されたメモリカードに撮影画像データが転送されて記録されるので、例えば、印刷装置にて印刷実行時においても撮像装置は独立して常に撮影可能となる。
また、本発明のその他の特徴によれば、撮影後にただちに印刷装置に撮影画像データが記録されるので、ユーザは面倒な画像データの転送操作を行う必要がなく、印刷装置側の印刷実行ボタンを押すだけの簡単な操作を行うだけで最適な解像度で印刷メディアに印刷することが可能となる。
【発明を実施するための最良の形態】
【００１７】
（第１の実施の形態）
以下、記録媒体切換機能付デジタルカメラをモバイルプリンタに接続した場合の一実施の形態を、図面を用いて説明を行う。
図１は、本実施の形態の記録媒体切換機能付デジタルカメラ１００（以下の説明では、単にデジタルカメラ１００とする）と、前記デジタルカメラ１００とダイレクト接続が可能なモバイルプリンタ１２０とをケーブル１１０で接続したときの実施の形態における外観図である。
【００１８】
本実施の形態のデジタルカメラ１００は、図１では図示されていないが、正面には撮像レンズ、夜間撮影のためのストロボ等があり、シャッターボタン１１１とプラスボタン１０２及びマイナスボタン１０１と、十字キーとしての役割をもつ左ボタン１０３、右ボタン１０４、上ボタン１０６、下ボタン１０５及び中央に印刷ボタン１０７があり、表示部としての液晶ディスプレイ１０８と画像記録用メモリカード装着口１０９を備えている。
【００１９】
また、本実施の形態のデジタルカメラ１００は薄い長方形状に形成されており、その正面（及び背面）のサイズは約５×１０ｃｍ程度であり、その筐体には軽量な材料が用いられている。このようにデジタルカメラ１００は携帯用として小型、軽量に形成されている。
【００２０】
プラスボタン１０２及びマイナスボタン１０１は再生画像の選択時、印刷ボタン１０７は、デジタルカメラ１００をデジタルカメラとダイレクト接続が可能なプリンタを接続したときの印刷実行時に、十字キーとしての役割をもつ左ボタン１０３、右ボタン１０４、上ボタン１０６、下ボタン１０５はデジタルカメラ１００の各種機能の設定や、本実施の形態による撮影画像データの記録先設定の際に用いられる。
【００２１】
表示部１０８は、撮影時にユーザが画面を見ながら撮影できるようにするほか、画像再生表示などさまざまな情報や、本実施の形態による撮影画像データの記録先を設定する各モードを表示する。
【００２２】
一方、デジタルカメラとダイレクト接続可能なプリンタ(以後、ダイレクトプリンタという)１２０は、印刷対象となる画像データが記録されたメモリカード装着口１２２、表示部としての液晶ディスプレイ１２３、プラスボタン１２７及びマイナスボタン１２６、印刷ボタン１２４、及び印刷を中止させるための中止ボタン１２５、メディアやインクとＥＥＰＲＯＭが内蔵されたメディアパック１２１で構成される。
【００２３】
液晶ディスプレイ１２３は、ダイレクトプリンタ１２０に装着されたメモリカード内の画像を表示させるだけでなく、メディア残数やインク残量など、本実施の形態のダイレクトプリンタ１２０の様々な情報を表示する。プラスボタン１２７及びマイナスボタン１２６は、ダイレクトプリンタ１２０に装着されたメモリカードの画像を選択するため、印刷ボタン１２４は、液晶ディスプレイ１２３に表示されている画像を印刷実行するため、中止ボタン１２５は、印刷を中止させるための機能をもったボタンである。
【００２４】
メディアパック１２１は、前述のとおり、メディア、インク及びＥＥＰＲＯＭが内蔵されており、ＥＥＰＲＯＭには、メディア残数やインク残量、メディアの材質、及び本実施の形態によるメディアサイズが記憶されている。
【００２５】
図２は、デジタルカメラ１００、ダイレクトプリンタ１２０及びメディアパック１２１の内部構成例を示すブロック図である。
本実施の形態におけるデジタルカメラ１００は、撮像部２０５と、信号処理部２０６と、表示部２０２と、画像記録用メモリカードI/F部２０８と、操作部２０３と、ＣＰＵ２０１と、作業用メモリ２０７と、プリンタI/F部２０９とを備えている。
【００２６】
撮像部２０５は、撮像レンズ２０４、絞り機構等の光学系とＣＣＤ及びＣＣＤ駆動信号生成回路等を含み撮像レンズ２０４からの光学像を電気信号に変換する。
【００２７】
信号処理部２０６は、ＣＣＤからの信号を処理して多値（Ｒ、Ｇ、Ｂ）のラスタデータ（画像データ）として作業用メモリ２０７に設けられたフレームメモリに記憶する。また、フレームメモリ上のラスタデータを、「輝度成分Ｙ」及び「色差成分Ｕ、Ｖ」に変換する。また、記録時には前記「輝度成分Ｙ」及び「色差成分Ｕ、Ｖ」データをＪＰＥＧ圧縮して画像記録メモリに記録する。更に、再生時には画像記録用メモリカード２１０に記録されているＹ、Ｕ、Ｖデータを読み出して伸張処理を施してフレームメモリに記憶する。
【００２８】
表示部２０２は、液晶表示素子等の画面を有する表示装置として構成され、撮影（シャッターを押す前）に撮像部２０５がフレームメモリに取込んだ被写体像（動画）を表示する。また、記録時（シャッターボタン１１１を押した後、取込んだ被写体画像データが画像記録用メモリカード２１０に書込まれる迄の間をいう）に、記録される被写体画像（静止画）を表示する。さらに、再生時には画像記録用メモリカード２１０から読み出され、フレームメモリに記憶されている前記「輝度成分Ｙ」及び「色差成分Ｕ、Ｖ」データを「Ｒ、Ｇ、Ｂデータ」（赤、緑、青の三原色成分）データに変換して再生し表示する。
【００２９】
画像記録用メモリカードI/F部２０８は、画像記録用メモリカード装着口１０９に装着された画像記録用メモリカード２１０に記録された画像データを読み取る場合のインターフェイスである。
プリンタI/F部２０９は、デジタルカメラ１００に接続されたダイレクトプリンタ１２０の情報及び画像データのやり取りをするためのインターフェイスである。
【００３０】
操作部２０３は、プラスボタン１０２やマイナスボタン１０１、及び十字キー等の操作によるユーザからの指示を入力しデジタル信号に変換してＣＰＵ２０１に与える。ＣＰＵ２０１は、前述の各回路等にバスラインを介して接続し、プログラム格納メモリに格納されている制御プログラムにより、デジタルカメラ１００全体の制御を行う。
【００３１】
また、操作部２０３は、デジタルカメラ１００で撮影した画像データの記録先を、デジタルカメラ１００に装着されたメモリカード２１０と外部装置に装着されたメモリカード２３６を選択設定する手段を備えている。
【００３２】
画像記録用メモリカード２１０は、本実施の形態では３２ＭＢのフラッシュ（登録商標）メモリを用いており、撮影された被写体画像の画像データを記録時に記録する。再生時には記録した画像データが読み出されて作業用メモリ２０７のフレームメモリに記憶される。
【００３３】
記録用メモリ切換部２１２は、本実施の形態によると、撮影画像データをデジタルカメラ１００に装着されたメモリカード２１０に記録するモード(以後、通常メモリ記録モードとする)と、デジタルカメラ１００に接続されたダイレクトプリンタ１２０に装着されたメモリカード２３６に記録するモード(以後、外部メモリ記録モード)と、デジタルカメラ１００に装着されたメモリカード２１０とダイレクトプリンタ１２０に装着されたメモリカード２３６の両方に同時に記録するモード(以後、同時メモリ記録モードとする)を切換える手段を有している。
【００３４】
通常メモリ記録モードは、デジタルカメラ１００単体で機能する通常のデジタルカメラとしてのモードであり、外部メモリ記録モードは、外部メモリ記録モードに設定されることにより、デジタルカメラ１００の撮影解像度をダイレクトプリンタ１２０に装着されたメディアパック１２１のメディアサイズ情報に応じて変更して設定する。すなわち、メディアパック１２１内のメディアが比較的小さい場合には、デジタルカメラ１００の撮影解像度は低く設定される。
【００３５】
同時メモリ記録モードは、メディアサイズに応じた解像度で撮影された画像データを、デジタルカメラ１００に装着されたメモリカード２１０とダイレクトプリンタ１２０に装着されたメモリカード２３６の両方に記録するモードである。
【００３６】
一方、本実施の形態におけるダイレクトプリンタ１２０は、操作部２２２、表示部２２３、作業用メモリ２２４、プログラム格納メモリ２２５、画像処理部２２６、コントローラ２２７、プリンタユニット２２８、デジタルカメラI/F部２３３、ＣＰＵ２２１、画像記録用メモリカードＩ/Ｆ部２３４、メディアパックＩ/Ｆ部２３５から構成される。
【００３７】
操作部２２２は、印刷ボタン１２４や印刷中止ボタン１２５などユーザからの指示を入力しデジタル信号に変換してＣＰＵ２２１に与える。
表示部２２３は、ダイレクトプリンタ１２０に装着されたメモリカード２３６に記録されている画像データの表示、メディアパック１２１内のメディア残数及びインク残量などを表示する。
【００３８】
作業用メモリ２２４は、フレームメモリ、印刷用データバッファ、予備エリア、プログラム用エリア等が設定されている。
フレームメモリは、表示部２２３の画像表示用メモリとして用いられて画像データがビットマップイメージで展開される。また、フレームメモリは表示部２２３のメニュー表示用メモリとして用いられる。
【００３９】
印刷用データバッファには、印刷時に印刷用データを一時的に記憶するために用いられ、予備エリアは空き領域であり、実行されているプログラムのサイズにより領域の大きさが変動する。プログラム用エリアは制御プログラム及びその時点で起動されているプログラムが記憶され、ＣＰＵ２２１の制御により実行される。
【００４０】
プログラム格納メモリ２２５は、本実施の形態のダイレクトプリンタ１２０に装着されたメディアパック１２１内のメディアサイズやメディア残数及びインク残量情報などを、本実施の形態のデジタルカメラ１００に転送するプログラムをはじめ、ダイレクトプリンタ１２０のシステムプログラムが格納されており、ユーザの操作部２２２からの実行指示、及びデジタルカメラ１００からの要求により各プログラムが実行される。
【００４１】
画像処理部２２６は、パソコン等での印刷画像データ作成処理用のプログラムと同じ構成の、ラスタライザ、色補正モジュール及びハーフトーンモジュールからなる３つを描画に必要な２値データを得るための基本的手段として備えており、前記「輝度成分Ｙ」及び「色差成分Ｕ、Ｖ」をＫ（ブラック）、Ｃ（シアン）、Ｍ（マゼンタ）、及びＹ（イエロー）の印刷用の「ＣＭＹＫ階調ビットイメージデータ」に変換する。
【００４２】
画像記録用メモリカード２３６は、画像記録用メモリカードＩ/Ｆ部２３４を介してダイレクトプリンタ１２０に着脱される交換用メモリカードであり、容量に応じて複数の画像を記録できる。ユーザは、画像が記録された画像記録用メモリカード２３６を装着して所望の画像データを得ることができる。
【００４３】
プリンタユニット２２８は、印字ヘッド２３２を駆動する印字ヘッド駆動部２３０と、紙送り等をするモータ２３１を駆動するモータ駆動部２２９を備えている。
コントローラ２２７は、プリンタユニット２２８全体の動作制御を行う。印刷用画像データ（及び制御データ）を受け取ると、コントローラ２２７は制御信号を送って印字ヘッド駆動部２３０及びモータ駆動部２２９を制御し、描画及び紙送りを行わせ印刷画像（カラー印刷画像）を得る。
【００４４】
デジタルカメラＩ/Ｆ部２３３は、デジタルカメラ１００からの画像データや印刷実行命令などの信号のやり取りを行うためのインターフェイスである。
また、本実施の形態におけるメディアパック１２１は、メディア２４２と各色のインクタンク２４３、ＥＥＰＲＯＭ２４１が入っており、ＥＥＰＲＯＭ２４１にはメディア残数、インク残量、メディアサイズ、メディア材質などの情報が記憶されている。
【００４５】
以上の構成を備える本実施の形態のデジタルカメラ１００とダイレクトプリンタ１２０とをケーブル接続した場合に、撮影から画像データ記録までの流れを、図３〜図５を用いて詳細に説明する。
【００４６】
図３に、本実施の形態における通常メモリ記録モードの撮影開始から画像データ記録までの処理手順を説明するフローチャートを示す。
まず、ユーザがデジタルカメラ１００とダイレクトプリンタ１２０とを接続すると、ダイレクトプリンタ１２０のＥＥＰＲＯＭ２４１よりメディアサイズ、メディア残数、インク残量、メモリ容量など各種情報がデジタルカメラ１００に自動転送される(ステップＳ３００)。
【００４７】
次に、ユーザは、例えば、撮影画像サイズや、撮影モード(夜景、ポートレート、スポーツ)などの通常デジタルカメラで撮影時に必要な設定、及び本実施の形態によるメモリ記録モードを通常メモリ記録モードに設定する(ステップＳ３０１)。
【００４８】
次に、ステップＳ３０２において、デジタルカメラ１００に装着されたメモリカード２１０容量に空きが有るか否かを判断する。この判断の結果、空き容量があればデジタルカメラ１００は通常メモリ記録モードに設定されるとともに、デジタルカメラ表示部１０８には、その旨が表示され(ステップＳ３０３)、デジタルカメラ１００の撮影画像データの記録先はデジタルカメラ１００に装着されているメモリカード２１０に設定される(ステップＳ３０４)。
【００４９】
次に、ステップＳ３０５にて「シャッターＯＮ」が行われるまで待機する。そして、ユーザが構図を決めてシャッターボタン１１１を押すことにより、先にユーザがデジタルカメラ１００に設定した撮影画像サイズで撮影が行われる。撮影された画像データは、ただちにデジタルカメラ１００に装着されたメモリカード２１０に記録される(ステップＳ３０６)。
【００５０】
一方、ステップＳ３０２の判断の結果、デジタルカメラ１００に装着されたメモリカード２１０が「ＦＵＬＬ」の場合、デジタルカメラ表示部１０８にデジタルカメラ１００のメモリカード２１０容量は「ＦＵＬＬ」であると表示し(ステップＳ３０７)、外部メモリ記録モードに切換えるか否かの選択をユーザが行うのを待機する(ステップＳ３０８)。
【００５１】
ステップＳ３０８の選択の結果、ユーザが外部メモリ記録モードを選択した場合、ステップＳ３０９に進み、ダイレクトプリンタ１２０に装着されたメモリカード１２１に空きが有るか否かを判断する。この判断の結果、メモリカード１２１に空きが有れば、デジタルカメラ１００は外部メモリ記録モードに設定される(ステップＳ３１１)。
【００５２】
次に、ステップＳ３１２にて「シャッターＯＮ」が行われるまで待機する。そして、ユーザが構図を決めてシャッターボタン１１１を押すことにより、先にユーザがデジタルカメラ１００に設定した撮影画像サイズで撮影が行われる。撮影された画像データは、ただちにダイレクトプリンタ１２０に装着されたメモリカード１２１に記録される(ステップＳ３１３)。
【００５３】
また、ステップＳ３０９の判断の結果、ダイレクトプリンタ１２０のメモリ１２１容量が「ＦＵＬＬ」ならば、ステップＳ３１０に進み、デジタルカメラ表示部１０８にダイレクトプリンタ装着メモリカード２３６容量は「ＦＵＬＬ」であると表示して処理を終了する。
【００５４】
図４に、本実施の形態における外部メモリ記録モードの撮影開始から画像データ記録までの処理手順を説明するフローチャートを示す。
まず、ユーザがデジタルカメラ１００とダイレクトプリンタ１２０とを接続すると、ダイレクトプリンタ１２０のＥＥＰＲＯＭ２４１よりメディアサイズ、メディア残数、インク残量、メモリ容量など各種情報がデジタルカメラ１００に自動転送される(ステップＳ４００)。
【００５５】
次に、ユーザは、例えば、撮影画像サイズや、撮影モード(夜景、ポートレート、スポーツ)などの通常デジタルカメラで撮影時に必要な設定、及び本実施の形態によるメモリ記録モードを外部メモリ記録モードに設定する(ステップＳ４０１)。
【００５６】
次に、ステップＳ４０２において、ダイレクトプリンタ１２０に装着されたメモリカード２３６の容量に空きが有るか否かを判断する。この判断の結果、メモリカード２３６の容量に空きがあれば、デジタルカメラ１００は外部メモリ記録モードに設定されるとともに、デジタルカメラ表示部１０８には、その旨が表示され(ステップＳ４０３)、デジタルカメラ１００の撮影画像データの記録先はデジタルカメラ１００に接続されたダイレクトプリンタ１２０に装着されているメモリカード２３６に設定される(ステップＳ４０４)。さらに、デジタルカメラ１００の撮影画像サイズはステップＳ４００にて転送されているメディアサイズに最適な解像度に変更される(ステップＳ４０５)。
【００５７】
次に、ステップＳ４０６にて「シャッターＯＮ」が行われるまで待機する。そして、ユーザが構図を決めてシャッターボタン１１１を押すことにより、ダイレクトプリンタ１２０のメディアに最適な画像サイズで撮影が行われる。こうして撮影された画像データは、ただちにダイレクトプリンタ１２０に装着されたメモリカード２３６に記録される(ステップＳ４０７)。
【００５８】
一方、ステップＳ４０２の判断の結果、ダイレクトプリンタ１２０に装着されたメモリカード２３６容量が「ＦＵＬＬ」の場合、デジタルカメラ表示部１０８にダイレクトプリンタ１２０のメモリカード２３６容量は「ＦＵＬＬ」であると表示し(ステップＳ４０８)、通常メモリ記録モードに切換えるか否かの選択をユーザが行うのを待機する(ステップＳ４０９)。
【００５９】
ステップＳ４０９にて、ユーザが通常メモリ記録モードを選択した場合、ステップＳ４１０に進み、デジタルカメラに装着されたメモリカード２１０に空きが有るか否かを判断する。この判断の結果、空きが有ればデジタルカメラ１００は通常メモリ記録モードに設定される(ステップＳ４１２)。
【００６０】
次に、ステップＳ４１３にて「シャッターＯＮ」が行われるまで待機する。そして、ユーザが構図を決めてシャッターボタン１１１を押すことにより、先にユーザがデジタルカメラ１００に設定した撮影画像サイズで撮影が行われる。撮影された画像データは、ただちにデジタルカメラ１００に装着されたメモリカード２１０に記録される(ステップＳ４１４)。
【００６１】
一方、ステップＳ４１０の判断の結果、デジタルカメラ１００のメモリカード２１０容量が「ＦＵＬＬ」ならば、ステップＳ４１１に進み、デジタルカメラ表示部１０８にデジタルカメラ装着メモリカード２１０容量は「ＦＵＬＬ」であると表示して処理を終了する。
【００６２】
なお、前記の例では、ダイレクトプリンタ１２０に装着されているメモリカード２３６に最適な撮像条件を設定した例を示したが、この他に、例えば前記ダイレクトプリンタ１２０におけるプリントヘッドの解像度、用紙サイズ、用紙の種類等に応じて撮像条件を設定するようにしてもよい。
【００６３】
図５に、本実施の形態における同時メモリ記録モードの撮影開始から画像データ記録までの処理手順のフローチャートを示す。
まず、ユーザがデジタルカメラ１００とダイレクトプリンタ１２０を接続すると、ダイレクトプリンタ１２０のＥＥＰＲＯＭ２４１よりメディアサイズ、メディア残数、インク残量、メモリ容量など各種情報がデジタルカメラ１００に自動転送される(ステップＳ５００)。
次にユーザは、例えば、撮影画像サイズや、撮影モード(夜景、ポートレート、スポーツ)などの通常デジタルカメラで撮影時に必要な設定、及び本実施の形態によるメモリ記録モードを同時メモリ記録モードに設定する(ステップＳ５０１)。
【００６４】
次に、デジタルカメラ１００に装着されたメモリカード２１０と、ダイレクトプリンタ１２０に装着されたメモリカード２３６の容量に空きが有るか否かを判断する(ステップＳ５０２及びステップＳ５０３)。この判断の結果、空きがあればデジタルカメラ１００は同時メモリ記録モードに設定されるとともに、デジタルカメラ表示部１０８には、その旨が表示される(ステップＳ５０４)。
【００６５】
次に、ステップＳ５０５に進み、デジタルカメラ１００の撮影画像データの記録先は、デジタルカメラ１００に装着されたメモリカード２１０及びダイレクトプリンタ１２０に装着されているメモリカード２３６に設定される。さらに、デジタルカメラ１００の撮影画像サイズは、ステップＳ５００にて転送されているメディアサイズに最適な解像度に変更される(ステップＳ５０６)。
【００６６】
次に、ステップＳ５０７において、「シャッターＯＮ」されるのを待機する。これにより、ユーザが構図を決めてシャッターボタン１１１を押すことにより、ダイレクトプリンタ１２０のメディアに最適な画像サイズで撮影が行われる。撮影された画像データは、ただちに、デジタルカメラ１００に装着されたメモリカード２１０及びダイレクトプリンタ１２０に装着されたメモリカード２３６に記録される(ステップＳ５０８)。
【００６７】
また、前記ステップＳ５０３の判断の結果、デジタルカメラ１００に装着されたメモリカード２１０が「ＦＵＬＬ」の場合にはステップＳ５０９に進み、デジタルカメラ表示部１０８にデジタルカメラ１００のメモリカード２１０容量は「ＦＵＬＬ」であると表示する。
【００６８】
次に、ステップＳ５１０において、外部メモリ記録モードに切換えるか否かの選択をユーザが行うのを待機する。そして、ユーザが外部メモリ記録モードを選択した場合、デジタルカメラ１００は外部メモリ記録モードに設定される(ステップＳ５１１)。
【００６９】
また、ステップＳ５０２の判断の結果、ダイレクトプリンタ１２０に装着されたメモリカード２３６が「ＦＵＬＬ」の場合にはステップＳ５１２に進み、デジタルカメラ表示部１０８にダイレクトプリンタ１２０のメモリカード２３６容量は「ＦＵＬＬ」であると表示する。
【００７０】
次に、ステップＳ５１３において、通常メモリ記録モードに切換えるか否かの選択をユーザが行うのを待機する。そして、ユーザが通常メモリ記録モードを選択した場合にはステップＳ５１４に進み、デジタルカメラ１００に装着されたメモリカード２１０に空きが有るか否かを判断する。この判断の結果、空きがあればステップＳ５１６に進み、デジタルカメラ１００は通常メモリ記録モードに設定される。
【００７１】
次に、ステップＳ５１７にて「シャッターＯＮ」が行われるまで待機する。そして、ユーザが構図を決めてシャッターボタン１１１を押すことにより、先にユーザがデジタルカメラ１００に設定した撮影画像サイズで撮影が行われる。撮影された画像データは、ただちにデジタルカメラ１００に装着されたメモリカード２１０に記録される(ステップＳ５１８)。
【００７２】
一方、ステップＳ５１４の判断の結果、デジタルカメラ１００のメモリカード２１０の容量が「ＦＵＬＬ」ならばステップＳ５１５に進み、デジタルカメラ表示部１０８に、「デジタルカメラ１００装着メモリカード２１０容量は「ＦＵＬＬ」である」と表示して処理を終了する。
【００７３】
以上、本発明の一実施の形態について説明したが、本発明は前記実施の形態に限定されるものではなく、種々の変形実施が可能であることはいうまでもない。
【００７４】
（本発明に係る他の実施の形態）
前述した本発明の実施の形態における撮像装置を構成するメディア情報取得手段、画像データ記録用メモリ設定手段、撮像条件設定手段、通常メモリ記録設定手段、外部メモリ記録設定手段、同時メモリ記録設定手段等の各手段、並びに撮像方法の各ステップは、コンピュータのＲＡＭやＲＯＭなどに記憶されたプログラムが動作することによって実現できる。このプログラム及び前記プログラムを記録したコンピュータ読み取り可能な記憶媒体は本発明に含まれる。
【００７５】
具体的に、前記プログラムは、例えばＣＤ−ＲＯＭのような記録媒体に記録し、或いは各種伝送媒体を介し、コンピュータに提供される。前記プログラムを記録する記録媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【００７６】
また、コンピュータが供給されたプログラムを実行することにより前述した実施の形態における各機能が実現されるだけでなく、そのプログラムがコンピュータにおいて稼働しているＯＳ（オペレーティングシステム）或いは他のアプリケーションソフト等と共同して前述した実施の形態の各機能が実現される場合や、供給されたプログラムの処理の全て或いは一部がコンピュータの機能拡張ボードや機能拡張ユニットにより行われて前述した実施の形態における各機能が実現される場合も、かかるプログラムは本発明に含まれる。
【図面の簡単な説明】
【００７７】
【図１】本発明の一実施の形態に係る、記録媒体切換機能付デジタルカメラと、デジタルカメラとダイレクト接続が可能なモバイルプリンタをケーブルで接続したときの本実施の形態における外観図である。
【図２】本発明の一実施の形態に係る、記録媒体切換機能付デジタルカメラ及びダイレクトプリンタ及びメディアパックの内部構成例を示すブロック図である。
【図３】本発明の一実施の形態に係る、通常メモリ記録モードの撮影開始から画像データ記録までのフローチャートである。
【図４】本発明の一実施の形態に係る、外部メモリ記録モードの撮影開始から画像データ記録までのフローチャートである。
【図５】本発明の一実施の形態に係る、同時メモリ記録モードの撮影開始から画像データ記録までのフローチャートである。
【符号の説明】
【００７８】
１００  記録媒体切換機能付デジタルカメラ
１０１  マイナスボタン
１０２  プラスボタン
１０３  左ボタン
１０４  右ボタン
１０５  下ボタン
１０６  上ボタン
１０７  印刷ボタン
１０８  液晶ディスプレイ
１０９  メモリカード装着口
１１０  ケーブル
１１１  シャッターボタン
１２０  本発明によるダイレクトプリンタ
１２１  メディアパック
１２２  メモリカード装着口
１２３  液晶ディスプレイ
１２４  印刷実行ボタン
１２５  印刷中止ボタン
１２６  マイナスボタン
１２７  プラスボタン
２０１  CPU
２０２  表示部
２０３  操作部
２０４  撮像レンズ
２０５  撮像部
２０６  信号処理部
２０７  作業用メモリ
２０８  画像記録用メモリカードI/F部
２０９  プリンタI/F部
２１０  画像記録用メモリカード
２１２  記録用メモリ切換部
２２１  CPU
２２２  操作部
２２３  表示部
２２４  作業用メモリ
２２５  プログラム格納メモリ
２２６  画像処理部
２２７  コントローラ
２２８  プリンタユニット
２２９  モータ駆動部
２３０  印字ヘッド駆動部
２３１  各種モータ
２３２  印字ヘッド
２３３  デジタルカメラI/F部
２３４  画像記録用メモリカードI/F部
２３５  メディアパックI/F部
２３６  画像記録用メモリカード
２４１  EEPROM格納情報
２４２  メディア
２４３  インクタンク
【図１】
2006100986.tif 000003
【図２】
2006100986.tif 000004
【図３】
2006100986.tif 000005
【図４】
2006100986.tif 000006
【図５】
2006100986.tif 000007